(57)【要約】  電力伝送、データ転送、及び信号伝送接続の組合せのためのドッキングステーションとして働くことができる化粧コンパクト。全般的にコンパクトに関して、電力、データ、及び信号の伝送接続は、入力、及び出力タイプである。コンパクトドッキングステーションは、必要に応じて電力を供給することができ、1以上のポータブルデバイスの再充電に使用することができる。本発明による汎用ドッキングステーションコンパクトは、電力とデータのインターフェースの組合せを特徴とする。【選択図】図１
2014516655.tif 000002
【特許請求の範囲】
【請求項１】
化粧コンパクトであって、該化粧コンパクトは、
前記ベースの1以上の部分が1以上のパーソナルケア製品を保持するように適合されるベースと、
前記ベースに対して開位置と閉位置の間で可動であり、前記閉位置では化粧品にアクセス不可能であり、前記開位置では前記化粧品にアクセス可能であるカバーと、
再充電可能な電荷蓄積デバイスと、
前記電荷蓄積デバイスに電気的に接続され、前記化粧コンパクトの表面でアクセス可能な少なくとも一つの出力電力コネクタと、
ＲＦコネクタ（ＢＮＣ、Ｃ、Ｆ、ＧＲ、Ｎ、ＳＣ、ＴＮＣ、ＵＨＦ、ＴＶアンテナプラグ、ミニアチュア、サブミニアチュア、及びこれらのマイクロタイプ）、Ｄ−Ｓｕｂｍｉｎｉａｔｕｒｅコネクタ、ＤＶＩコネクタ、Ｍｉｎｉ−ＤＶＩコネクタ、Ｍｉｃｒｏ−ＤＶＩコネクタ、ＤＩＮコネクタ、Ｍｉｎｉ−ＤＩＮコネクタ、ＳＣＡＲＴコネクタ、Ｄターミナルコネクタ、ＶＧＡ／Ｍｉｎｉ−ＶＧＡコネクタ、バナナコネクタ、ＲＣＡコネクタ、ＴＳコネクタ、ＴＲＳコネクタ、ＴＲＲＳコネクタ（２．５ｍｍ、３．５ｍｍ、６．３５ｍｍバージョン）、ＡＶマルチコネクタ、メモリカードスロット、Ａｐｐｌｅ  Ａｔｔａｃｈｍｅｎｔ  Ｕｎｉｔ  Ｉｎｔｅｒｆａｃｅ、ＨＤＭＩ（登録商標）コネクタ、ＰＤＭＩコネクタ、ＤｉｓｐｌａｙＰｏｒｔ、Ｍｉｎｉ  ＤｉｓｐｌａｙＰｏｒｔ、ＤＭＳ−５９コネクタ、ＦｉｒｅＷｉｒｅコネクタ、ＵＳＢ−Ａコネクタ、ＵＳＢ−Ｂコネクタ、並列ＡＴＡコネクタ、直列ＡＴＡコネクタ、ＸＬＲコネクタ、及びＲｅｇｉｓｔｅｒｅｄ  Ｊａｃｋタイプのコネクタからなるグループから選択される、前記化粧コンパクトの表面でアクセス可能な少なくとも一つのデジタル又はアナログ信号コネクタと、を備える、化粧コンパクト。
【請求項２】
前記電荷蓄積デバイスに電気的に接続され、前記コンパクトの表面でアクセス可能な入力電力コネクタをさらに備える、請求項１に記載のコンパクト。
【請求項３】
前記カバーが開位置にある場合にのみアクセス可能な少なくとも一つの出力電力コネクタをさらに備える、請求項２に記載のコンパクト。
【請求項４】
前記カバーが開位置にある場合にのみアクセス可能な前記出力電力コネクタとインターフェースで接続することができる入力電力コネクタを有する電子パーソナルケアデバイスをさらに備える、請求項３に記載のコンパクト。
【請求項５】
前記コンパクトに対して少なくとも二つの位置をとることができる少なくとも一つの電力又はデータコネクタをさらに備える、請求項２に記載のコンパクト。
【請求項６】
前記再充電可能な電荷蓄積デバイスが少なくとも３．７ＶＤＣの公称電圧及び少なくとも２，８００ｍＡを有するリチウムイオン電池であり、前記入力電力コネクタを使用して前記電池を再充電することができる、請求項２に記載のコンパクト。
【請求項７】
少なくとも一つのＣＰＵ、少なくとも一つの揮発性メモリレジスタ、少なくとも一つの不揮発性メモリレジスタ、又はその任意の組合せをさらに備える、請求項６に記載のコンパクト。
【請求項８】
揮発性メモリ、不揮発性メモリ、又はその両方に格納されたプログラミングコードをさらに備える、請求項７に記載のコンパクト。
【請求項９】
前記プログラミングコードが、１以上のＡｃｔｉｏｎＳｃｒｉｐｔ、Ｏｂｊｅｃｔｉｖｅ−Ｃ、Ｊａｖａ（登録商標）、ＪａｖａＳｃｒｉｐｔ（登録商標）、ＰＨＰ／ＭｙＳＱＬ、任意のＭｉｃｒｏｓｏｆｔ．ＮＥＴファミリの言語、ＨＴＭＬ、ＸＭＬ、又はＸＨＴＭＬで書き込まれる、請求項８に記載のコンパクト。
【請求項１０】
コンピュータとインターフェースで接続することにより電力及び／又はデータを交換することができる、請求項７に記載のコンパクト。
【請求項１１】
前記コンパクトが前記コンピュータにウェブブラウザを立ち上げて、特定のウェブページを開くことを指示する、請求項１０に記載のコンパクト。
【請求項１２】
前記コンパクトが電子メールを受け取ること、および／または、ワールドワイドウェブを見て回ることができるようにする無線能力を有する、請求項７に記載のコンパクト。
【請求項１３】
前記コンパクトの１以上の前記出力電力コネクタとインターフェースで接続することができる入力電力コネクタを有する電子パーソナルケアデバイスをさらに備える、請求項２に記載のコンパクト。
【請求項１４】
前記電子パーソナルケアデバイスが前記コンパクトの前記再充電可能な電荷蓄積デバイスによって再充電することができる電気二重層キャパシタを備える、請求項１３に記載のコンパクト。
【請求項１５】
前記電子パーソナルケアデバイスが振動マスカラ、回転マスカラ、加熱マスカラ、加熱リップグロス、加熱ニキビ用ペン、加熱又は冷却トリートメントアプリケータ、光及び／又は音を生成する化粧デバイス、並びにアナログ及び／又はデジタル信号を処理する化粧デバイスからなるグループから選択される、請求項１４に記載のコンパクト。
【請求項１６】
製品が充填された容器、及び前記容器の下に配置されたペルチエ半導体素子をさらに備える、請求項２に記載のコンパクト。
【請求項１７】
任意の以下の、鏡、表示画面、キーボード、デジタルポインティングデバイス、デジタル選択デバイス、１以上のＬＥＤ、１以上の音声スピーカ、ラジオチューナ、テレビジョンチューナ、衛星受信機、デジタル画像獲得能力、デジタルビデオ獲得能力、音声獲得能力、ビデオビューイング及び／又は再生能力、保管領域、及び摺動式引き出しをさらに備える、請求項２に記載のコンパクト。
【発明の詳細な説明】
【技術分野】
【０００１】
本発明は、化粧コンパクトの分野にあり、特にデジタル通信及びデジタル媒体消費者に適した化粧コンパクトに関する。
【背景技術】
【０００２】
化粧コンパクトは周知である。通常、化粧コンパクトは１以上の化粧品、及び鏡又はアプリケータなど補助器具を収容するものである。
【０００３】
電源を収容する化粧コンパクトは周知である。例えば、米国特許第２００４／００１７６８２号には、スイッチによって操作される低電圧リチウム電池で電力が供給される発光ダイオードを有するメイクアップコンパクトケースが開示されている。米国特許第６，３１１，０７７号には、組み合わせた化粧コンパクトと携帯電話が開示されている。フリップ開放型携帯電話は、化粧品容器及びアプリケータを保持するための凹んだ表面を有する。携帯電話の表示装置は、鏡として、又はデジタル表示装置としての二つのモードのどちらかで動作可能である。
【０００４】
電力が必要なポータブルデジタル電子デバイス及びハンドヘルドの便利な電気器具（別名「ハンドヘルド」）が急増している。人が移動時に携帯するポータブルデバイス、並びに電気器具の数、及びタイプは絶えず増加している。一部の例を挙げると、パーソナルデジタルアシスタント、パーソナルメディアプレーヤ、携帯電話、タブレットコンピューティングデバイス、ＧＰＳデバイス、カメラ、及びビデオゲームプラットホームがある。これらは全て、操作に直接電力が必要であり、又は一体化された電池を再充電するための外部電源が必要である。
【０００５】
長い間、女性は、化粧品及び化粧デバイスを、例えばハンドバッグに入れて持ち歩いている。最近では、電力を消費し、電力を振動、熱、又は光など他の形に変換するポータブル化粧デバイスに関心が寄せられている。例えば、加熱化粧アプリケータとして、振動マスカラアプリケータが知られている。
【０００６】
電源を必要とするポータブルデバイスの可用性及び使用の増加による問題が示されている。一つには、女性のハンドバッグ内の品物の数が上昇し続けている。第２に、それぞれ電子ポータブルデバイスは、そのデバイスを再充電するための関連したハードウエアを有する。女性はそのハードウエアまでも携帯したがらないかもしれない。女性がハードウエアを携帯したとしても、プラグを差し込む便利な場所が必ずしもあるわけでなく、又はあったとしても、デバイスのプラグが差し込まれている間は、そのデバイスはもはやポータブルではない。この問題の解決法は、多くの女性がすでに持ち歩いている品物を、電力を供給し、再充電し、インターフェースをとり、無数のパーソナルデジタルデバイスと電子化粧器具の間でデータを転送することができるようにし、全てが一人で持ち歩く間に行われる、本発明によるポータブルデバイスと交換することである。伝統的な化粧コンパクトを本発明による汎用ドッキングステーションコンパクトと交換することによって、電力が必要なポータブルデバイスの急増に関連する問題を大幅に緩和することができる。
【発明の概要】
【発明が解決しようとする課題】
【０００７】
電力が必要なポータブルデバイスの急増に関連する問題、及び不便さに、電力伝送、データ転送、及び信号伝送接続のためのドッキングステーションとして働くことができる化粧用コンパクトによって対処する。
【課題を解決するための手段】
【０００８】
全般的にコンパクトに関して、電力、データ、及び信号の伝送接続は、入力及び出力タイプである。コンパクトドッキングステーションは、電力を必要に応じて供給することができ、又は１以上のポータブルデバイスの再充電に使用することができる。本発明による汎用ドッキングステーションコンパクトは、電力及びデータのインターフェースの組合せを特徴とする。
【図面の簡単な説明】
【０００９】
【図１】本発明による汎用ドッキングステーションコンパクトの一実施形態を示す正面斜視図である。
【図２】閉じた状態の図１のコンパクトを示す図である。
【図３】図２のコンパクトを背後から示す図である。
【図４】コンパクトを形成する、電力を引き出す加熱マスカラアプリケータを示す図である。
【図５】本発明による汎用ドッキングステーションコンパクトとインターフェースをとることができる幾つかの化粧道具、及び電子付属品を示す図である。
【図６】本発明による汎用ドッキングステーションコンパクトで使用するための電子化粧デバイスの一実施形態を示す図である。
【図７】本発明による汎用ドッキングステーションコンパクトで使用するための電子化粧デバイスの一実施形態を示す図である。
【図８】本発明による汎用ドッキングステーションコンパクトで使用するための電子化粧デバイスの一実施形態を示す図である。
【図９】本発明の幾つかの実施形態で有用な回路基板上の電子部品の可能な一構成を示す図である。
【図１０】充電パッド上で無線で再充電されるコンパクトを示す図である。図で示したワイヤは充電パッド用であり、コンパクト用ではない。
【図１１】本発明によるドッキングステーションコンパクトの再充電に使用することができるＡＣ−ＤＣアダプタを示す図である。
【発明を実施するための形態】
【００１０】
本明細書中で、用語「備える」などは、対象の集合が具体的に記載された対象に限定されないことを一貫して示すものである。
【００１１】
従来の化粧コンパクトは、便利、機能的、且つ安全であり、見た目も魅力的である。見た目は小売業環境では重要な特性である。化粧コンパクトは、使用中に片手で保持される寸法であり、正方形、長方形、楕円形、円形、球形、又は他の規則的、或いは不規則的な形状でよい。産業定義はないが、コンパクトの概念に沿うと、多くの化粧コンパクトが、最大横寸法約３０ｍｍから約１５０ｍｍ、及び高さ約３０ｍｍ未満を有することが観察される。例えば、７インチの画面を有するポータブルＤＶＤプレーヤは、この化粧コンパクトの定義に合わない。好ましくは、最大横寸法は約１５０ｍｍ、より好ましくは約１２５ｍｍ、さらに好ましくは約１００ｍｍである。
【００１２】
好ましくは、本発明による化粧コンパクトは、従来の化粧コンパクトを連想させる外観を有する。例示のため、コンパクトの幅、及び奥行がコンパクトの高さよりも大きいタイプのコンパクトとして本発明を実施する。このタイプの化粧コンパクトは、比較的平坦、且つ平面的であり、本発明に関して容易に表現されるものである。こうしたコンパクトは、通常、ヒンジ又は旋回機構によって互いに対して方向付けることができるベースとカバーを備える。三つ以上の旋回部材及び／又は二つ以上のヒンジを有する化粧コンパクトも周知であるが、一般性を失うことなく、本発明を、正確に二つの旋回部材、ベース（又はベース部材）、及びカバー（又はカバー部材）を有するコンパクトに関して記載する。
【００１３】
ベース
図１〜３を参照すると、ベース（１０）は、全般的にコンパクトの最大、又は主な構成要素である。本質的に長方形で示してあるが、本発明の概念は、長方形とは非常に異なるベースで示してもよい。全般的に、ベースは、底壁（図で見えない）、前及び後の壁（１２、１２’）、並びに二つの横壁（１３、１３’）を有する。前及び／又は後の壁に関連する水平寸法をコンパクトの幅と呼ぶことが便利である。同様に、横壁に関連する水平寸法をコンパクトの奥行と呼ぶ。
【００１４】
ベース（１０）の上面（１４）は、開放されて、１以上の化粧品、或いは皮膚の調整品、及び／又は補助用品を受ける。ベースの内部をセクションに分割することができる。例えば、図１では、粉おしろい容器、又は受皿（５０）を受けるためのセクション、及びアプリケータ（６０）を保持するためのセクションがある。セクションの数は、コンパクト内に収容される品物のサイズ、及びコンパクトの全体寸法によって制限される。ベースは、図で見えないが、好ましくは１以上のセクションの下に、回路基板、及び電源を収容することもできる。ベースは、通常、１以上のプラスチックから任意の従来の手段で作製され、又はより高級な見栄えのために金属で形成される。
【００１５】
カバー
本発明によるカバー（４０）は、ベース（１０）に、好ましくはベースの後壁（１２’）付近に旋回式に取り付けられる。カバーは、ベースに対して開位置と閉位置の間で可動である。閉位置では、カバーはベースの頂部上、又はおそらくベースの頂部の内部に置かれる。カバーは、この位置で、ベースの内容物を保護し、ベースの内容物には全般的にアクセス不可能である。閉位置では、カバーは、化粧品の乾燥、汚染、又はこぼれを低減する。開位置では、ベースの内容物に全般的にアクセス可能である。カバーは、通常、１以上のプラスチックから、任意の従来技術の手段で作製されるが、金属、又は部分的に金属でもよい。このタイプのコンパクトは、粉おしろい、ファンデーション、アイシャドウ、頬紅、マスカラ、唇用化粧品、及び他の製品の保管に適している。
【００１６】
カバー（４０）は、１以上の化粧品、又は皮膚の調整品、及び／若しくは補助用品を支持することができる内面（４４）を有する。例えば、図１では、鏡（７０）の他に、鏡を見るときにユーザの顔を光で照らすように向けられた発光ダイオード（７１）など、幾つかの光源がカバーの内面上に取り付けられる。化粧コンパクトでは、鏡がカバーの内面上に設けられて、コンパクトが開けられたときに、ユーザが見ることができるようになされることが多い。このようにカバー内に位置付けられた鏡は、アプリケータを片手で操作しながら、コンパクトと鏡を片手で保持する選択肢をユーザに与える。別法として、鏡をコンパクトの任意の内面又は外面上に都合良く配置することもできる。
【００１７】
上述のように、カバー（４０）はベース（１０）に、好ましくはベースの後壁（１２’）付近に旋回式に取り付けられる。例えば、ベースとカバーの取り付けは、細長いピン又は軸を有するヒンジを備えることができる。一般性を失うことなく、本明細書中で、「ヒンジ」は、コンパクトの部材間の相対回転を容易にする任意のタイプの連結を指す。ベースに対するカバーの運動範囲は、約９０°から約３６０°でもよいが、通常、２７０°に達する回転には特別のヒンジ機構が必要とされる。少なくとも１８０°回転する化粧コンパクトは、平らに置くことができ、安定性が要素である場合は有利である。例えば、開放されたコンパクトは、頂部が重いことが多く、表面上に配置されたベースは、カバーがある転換点を超えて回転されると、平らに横たわらなくなる。その場合、コンパクトを「広げて」、ベースとカバーの両方を平らに置くことが便利である。したがって、表面上で平らにならないコンパクトは、不利である。
【００１８】
ヒンジのないコンパクトの側面上（例えば、ヒンジの反対側）に、ときに、コンパクトが不慮に開放されるのを防止するラッチ機構が設けられる。例えば、ラッチ機構の第１の部分（１５）がベース（１０）と関連し、第２の部分（４５）がカバー（４０）と関連して、第１と第２の部分が互いに係合すると、ベースとカバーが閉鎖され、係止された構成になるようにすることができる。
【００１９】
任意選択で、表示灯をコンパクト上に、例えば、コンパクトの前壁（１２）、又はカバー（４０）上に設けることができる。図２では、例えば、表示灯（１６）は、点灯した場合に、プラグを差し込んだデバイスが充電されていることをユーザに警告する。表示灯（１７）は、点灯した場合、ベース自体が完全に充電されたことをユーザに警告する。表示灯の様々な使用、及び表示灯の関連する目的は、当業者には明らかであろう。
【００２０】
電力伝送／データ転送インターフェース
本発明による汎用ドッキングステーションコンパクトは、コンパクトの表面上、又は表面でのアクセス可能な電力、データ、及び／又は信号のインターフェースの組合せを特徴とする。一部のインターフェースは、コンパクトが開放された場合、又は閉鎖された場合にアクセス可能であり、一部はコンパクトが開放された場合にのみアクセス可能である。好ましくは、少なくとも一部のインターフェースは、コンパクトが閉鎖された場合にアクセス可能である。本発明の一部の実施形態では、１以上のインターフェースが所期の方法で使用されている場合に、コンパクトを閉鎖することができない。
【００２１】
一部のこうしたインターフェースは、こうしたサービスを必要とする組合せデバイスへの電力伝送接続、データ転送接続、及び／又は信号伝送接続の形態をとる。したがって、本発明によるコンパクトは、化粧品、パーソナルケア、及び消費者ハンドヘルドデバイスの組合せのための汎用ドッキングステーションとして働くことができる。コンパクトの一部の他のインターフェースは、コンパクトと人のユーザとの間の（例えば、物理的接触による）直接接続を容易にすることができ、それによって情報又はデータがユーザとコンパクトの間で伝送される。
【００２２】
全般的にコンパクトに関して、電力伝送及びデータ転送の接続は、入力及び出力タイプである。すなわち、入力接続では、電力又はデータがコンパクトの外部からコンパクトの内部に流れ易くする。出力接続では、電力又はデータがコンパクトの内部からコンパクトの外部に流れ易くする。一部の接続は、電力のみ、又はデータのみを流れ易くすることができ、他の接続は、電力及びデータを並列又は直列で流れ易くすることができる。特別の電力接続は、１以上のポータブルデバイスを再充電して、デバイスをコンパクトから取り外した後に使用することができるようにする。別法として、特別の電力接続は、デバイスがまだコンパクトに取り付けられている間に、即時の消費用に電力を供給することができる。別法として、特別の電力接続は、デバイスを再充電し、同時に同じデバイスに即時の消費用の電力を供給することができる。
【００２３】
全般的に、電力及びデータ接続は、二つの対合するコネクタ、雄（プラグ）と雌（ジャック又はポート）として形成される。二つのコネクタがインターフェースで接続されるという場合、コネクタがコネクタの所期の目的のために適切に対合し、コネクタが所期の目的のために有効であることを指す。例えば、バナナプラグをＵＳＢポートに差し込んでも、インターフェースは生成されない。いずれのタイプのコネクタもコンパクトの任意の表面でアクセス可能であり、便利である。図１では、例えば、四つのコネクタにベース（１０）の前壁（１２）でアクセス可能である。これらは、例えば、直流電力用の、双方向雌ＵＳＢポート（１０１）、二つの出力ＴＳジャック（１０２）、及び一つの入力バナナジャック（１０３）でもよい。実際に、全て、又は大抵のコネクタにベースでアクセス可能であり、この構成がより高い安定性を提供するからであるが、これは不可欠ではなく、１以上のコネクタにカバー（４０）の表面でアクセスすることもできる。同様に、ポート又はジャックへのアクセスを単にベースの後壁（１２’）、又は横壁（１３、１３’）に組み込むこともできる。
【００２４】
カバー（４０）が開放、又は閉鎖された場合に、一部のコネクタにアクセス可能であり、カバーが開位置にある場合にのみ一部のコネクタにアクセス可能でもよい。例えば、図１では、雄出力電力プラグ（１０４）にベース（１０）の上面（１４）でアクセス可能である。この雄プラグ（例えば、ＴＳプラグ）は、化粧用品の表面でアクセス可能な対合する雌ポート（図４の２０４）（例えばＴＳジャック）内に嵌るように設計される。図４は、加熱マスカラアプリケータ（２００）のためのこの構成を示している。上記その他の実施形態では、１以上のインターフェースがその所期の方法で使用されている場合、インターフェースをとる品物の位置によってカバーの完全な閉鎖が妨げられるため、コンパクトは閉位置をとることができない。
【００２５】
一部の実施形態では、１以上のコネクタは、コンパクトに対して少なくとも二つの位置をとることができる。例えば、コネクタを使用していない場合にコンパクト内に保管し、必要な場合にアクセス可能な位置に移動させることができる。フリップタイプ、又はスイッチブレードタイプの雄ＵＳＢコネクタはこの一例である。
【００２６】
任意の周知のタイプの電力、データ、又は信号のコネクタを本発明による化粧コンパクトの設計、並びに任意の注文設計のコネクタに組み込むことができることが考えられる。全般的に、電力、及びデータのコネクタには、Ｒｅｇｉｓｔｅｒｅｄ  Ｊａｃｋコネクタ（すなわち電話ジャック、Ｅｔｈｅｒｎｅｔ（登録商標）ジャック）などモジュラコネクタ、Ｄ−ｓｕｂｍｉｎｉａｔｕｒｅ（すなわちＶＧＡ）、ｍｉｎｉ−ＶＧＡ、ＤＩＮ、ｍｉｎｉ−ＤＩＮ（すなわちＳビデオ）、ＤＶＩ、ｍｉｎｉ−ＤＶＩ、ｍｉｃｒｏ−ＤＶＩ、Ｄ  ＳＣＡＲＴ  （ＥＩＡ  Ｍｕｌｔｉｐｏｒｔ）、Ｄ−ｔｅｒｍｉｎａｌ（Ｄ端子）、Ａｐｐｌｅ  Ａｔｔａｃｈｍｅｎｔ  Ｕｎｉｔ  Ｉｎｔｅｒｆａｃｅ、ＨＤＭＩ（登録商標）、ＰＤＭＩ、ＤｉｓｐｌａｙＰｏｒｔ、Ｍｉｎｉ  ＤｉｓｐｌａｙＰｏｒｔ、ＤＭＳ−５９、ＦｉｒｅＷｉｒｅ、ＵＳＢ−Ａ、ＵＳＢ−Ｂ、並列ＡＴＡ、直列ＡＴＡ、及びＸＬＲコネクタなどピン配列コネクタ、ＢＮＣ、Ｃ、Ｆ、ＧＲ、Ｎ、ＳＣ、ＴＮＣ、ＵＨＦ、ＴＶアンテナプラグ、ミニアチュア、サブミニアチュア、及びこれらのマイクロタイプなどＣｏａｘｉａｌ  ＲＦコネクタ、Ｂａｎａｎａ、ＲＣＡ、ＴＳ、ＴＲＳ、ＴＲＲＳ（２．５ｍｍ、３．５ｍｍ、６．３５ｍｍバージョン、すなわちｉＰｏｄ及びｉＰｈｏｎｅで使用されるもの）、並びに（ソニーからの）ＡＶ  Ｍｕｌｔｉなど他のコネクタ、ＰＣＭＣＩＡフラッシュメモリカード、ＣｏｍｐａｃｔＦｌａｓｈ  Ｃａｒｄ、ＭｉｎｉＣａｒｄ、ＳｍａｒｔＭｅｄｉａ（登録商標）  Ｃａｒｄ、ｘＤ−Ｐｉｃｔｕｒｅ  Ｃａｒｄ、Ｍｅｍｏｒｙ  Ｓｔｉｃｋ、ＳｅｃｕｒｅＭＭＣ、Ｓｅｃｕｒｅ  Ｄｉｇｉｔａｌカード（すなわちＳＤ、ｍｉｎｉＳＤ、ｍｉｃｒｏＳＤ）、ＳＩＭカード、（クレジットカードサイズの）ＩＣカード、ＵＳＢ  ＦｌａｓｈＣａｒｄ、フロッピー（登録商標）ディスクなどメモリカードスロット、などが含まれうる。このコネクタのタイプの列挙は網羅的ではなく、現在周知の、又は開発される他のタイプのコネクタも本発明に有用である。
【００２７】
全般的に、コンパクト上のコネクタを、インターフェースで接続されるデバイスに直接対合するように設計することができる。例えば、ＵＳＢポート（１０１）はＵＳＢフラッシュドライブを直接受けることができる。又は、例えば、ベース（１０）の表面（１４）の雄出力電力コネクタ（１０４）を、電子デバイスのベース、又はハンドルに位置付けられた雌コネクタ（２０４）内に直接挿入するように設計することができる。別法として、ベース上の一部、又は全てのコネクタが、図５で示したもの（３００ａ、３００ｂ）など、１以上の中間ケーブルによってインターフェースをとるデバイスと対合することもできる。
【００２８】
本発明による化粧コンパクト上に設けられたインターフェースの数、及びタイプは、設計上の選択であるが、本発明によるコンパクトが、少なくとも一つの出力電力コネクタ、少なくとも一つの入力電力コネクタ、及び少なくとも一つのデータ、又は信号コネクタ（好ましくはデジタルデータ転送をサポートするコネクタ）を有することが好ましい。デジタル化信号が今日ではより一般的であるが、アナログ信号をサポートすることができる１以上のインターフェースを含むこともできる。
【００２９】
本発明の汎用ドッキングステーションコンパクトとインターフェースをとることができるデバイスのタイプも設計上の選択である。好ましくは、コンパクトは、少なくとも一つの化粧品、又はパーソナルケアデバイス、及び少なくとも一つのハンドヘルドの化粧品でないデジタルデバイスとの電気的インターフェースを形成することができる。電気的インターフェースを必要とする化粧デバイスの例には、振動マスカラ、回転マスカラ、加熱マスカラ、加熱リップグロス、加熱にきび用ペン、加熱、若しくは冷却トリートメントアプリケータ、光及び／若しくは音を生成する、又はアナログ若しくはデジタル信号などを生成する化粧デバイスが含まれる。
【００３０】
本発明による化粧コンパクトが、Ｗｉ−Ｆｉ、又はＢｌｕｅｔｏｏｔｈ（登録商標）など任意の所望のプロトコルに適した一体型、又はプラグインアダプタで、無線で使用可能であることも想定される。
【００３１】
電子化粧及びパーソナルケアデバイスの充電
本発明の他の態様は、本明細書に記載したドッキングステーションコンパクトで使用する、電子化粧、及び／又はパーソナルケアのアプリケータ、或いはデバイスを含む。振動マスカラ、回転マスカラ、加熱マスカラ、加熱リップグロス、加熱にきび用ペン、加熱若しくは冷却トリートメントアプリケータ、光及び／若しくは音を生成する、又はアナログ若しくはデジタル信号を処理する化粧デバイスなど、様々な電子化粧用品が知られているが、こうした品物に電池によって電力を供給するのが一般的である。電池が消耗した場合、電池を交換し、又は再充電しなければならない。消耗した電池を再充電することができる場合、再充電操作に典型的であるように、電池の再充電に数時間かかる。また、電池を再充電することができる回数には限度がある。また、電池はデバイスに大きい重量を加え、大きい空間を占めるが、これは望ましくない。したがって、本発明の一部の実施形態のドッキングステーションコンパクトを、再充電可能な電池を有するデバイスと共に作動させるように実装することができるが、好ましい実施形態では、電池の代わりにキャパシタが装備された電子化粧デバイスを使用する。キャパシタを使用する電子化粧デバイスは、電池の限界を克服することができる。キャパシタを有する一利点は、キャパシタは、数秒、又は数分未満で充電し、再充電することができることである。しかし、電池とは異なり、完全に充電されたキャパシタは、再充電しなければならなくなる前に、わずかのアプリケーションしか得られず、又は数分しか使用することができない。驚くべきことに、現状では、これは重大な欠点ではない。これには少なくとも二つの理由がある。第１に、電子化粧デバイスは長時間使用されない（すなわち、アプリケーションは数秒から２〜３分かかる）。第２に、再充電が比較的速い（すなわち、数秒から２〜３分であり、電池によって、再充電可能な電池より約２０から２００倍速い）。さらに、電池と比較すると、キャパシタは無限に再充電することができる。また、キャパシタは、同等のサイズの電池と比較すると、比較的軽い。また、所与のレベルの電力では、キャパシタは電池よりも圧倒的に小さい。そのため、キャパシタを使用する化粧デバイスは、電池を使用する化粧デバイスよりも、電流源の設計の柔軟性が大きい。また、電池の廃棄に特別の処理を受ける必要がある場所でも、キャパシタは通常の家庭ごみに捨てることができる。
【００３２】
本発明に好ましいキャパシタは、急速充電、及び放電に適しており、少なくとも０℃から４０℃、より好ましくは−２０℃から５０℃の温度範囲にわたり有効である。本発明に好ましいものは、電気二重層キャパシタ（ＥＤＬＣ）であり、スーパーキャパシタ（ｓｕｐｅｒｃａｐａｃｉｔｏｒ）、又はウルトラキャパシタ（ｕｌｔｒａｃａｐａｃｉｔｏｒ）としても知られている。スーパーキャパシタは、通常、従来の電解キャパシタの約数千倍の比較的高いエネルギ密度を有する。ＥＤＬＣは、同等のサイズの従来の電池、又は燃料電池よりも非常に高い電力密度も有する。市販のＥＤＬＣキャパシタの例は、マクスウェルテクノロジーズ（Ｍａｘｗｅｌｌ  Ｔｅｃｈｎｏｌｏｇｉｅｓ）によって販売されているものであり、例えば、ＰＣ１０シリーズ（２．５Ｖ  ＤＣ、１０Ｆ）、ＨＣシリーズ（２．７Ｖ  ＤＣ、５Ｆ〜１５０Ｆ）、及びＤ  Ｃｅｌｌ（登録商標）シリーズ（２．７Ｖ、３１０Ｆ、又は３５０Ｆ）である。ニチコン（日本）は、定格電圧２．５ＶＤＣ及び２．７ＶＤＣ、並びにキャパシタンス約０．４７Ｆから４０００Ｆを有するエバーキャップ（ＥＶｅｒ  ＣＡＰ）ブランドのＥＤＬＣを市販している。
【００３３】
本発明で使用するためのキャパシタを選択する際に、最も重要な点は、定格キャパシタンス、定格電圧、及びキャパシタのサイズである。好ましくは、キャパシタは、電子化粧デバイスで現在使用されているものなど、通常の円筒形の単電池のサイズよりもあまり大きくない、又は概ねそのサイズである。より好ましくは、キャパシタは、補聴器でよく使用されるものなど、ボタン電池のサイズよりあまり大きくない、又は概ねそのサイズである。好ましくは、本明細書に記載したドッキングステーションコンパクトで使用すべき電子化粧デバイスでの使用に適したキャパシタのキャパシタンスは、約１から約２００Ｆａｒａｄ（Ｆ）、より好ましくは約１０Ｆから約１００Ｆ、さらに好ましくは約２０Ｆから約５０Ｆ、最も好ましくは約３０Ｆから約４０Ｆである。好ましくは、キャパシタの定格電圧は、約１．５ＶＤＣから約９ＶＤＣ、より好ましくは約２ＶＤＣから約６ＶＤＣ、さらに好ましくは約２．５ＶＤＣから約３．５ＶＤＣである。こうしたキャパシタは、アプリケータを加熱し、製品を加熱し、アプリケータを振動させ、アプリケータを回転させ、点灯させ、又はパーソナルケアトリートメントに関連する多様な他の目的に電力が使用されても、デバイスの少なくとも一つの所期の使用に十分な電力を供給することができることが判明した。上記の詳述を満たすキャパシタを上記の時間枠内で充電し、又は再充電することができる。電池とは異なり、キャパシタは、パーソナルケアデバイスよりも長持ちし、無駄を低減するものである。
【００３４】
ＥＤＬＣキャパシタを有する、本発明による汎用ドッキングステーションコンパクトで使用するための電子化粧デバイスの一実施形態は、図６〜８で示した加熱マスカラアプリケータ（２００）である。図６では、加熱アプリケータは、基端部、及び末端部を備える細長い構造を含む。基端部に向かってユーザが把持するためのハンドル（２０１）があり、ハンドル（２０１）はキャパシタ（２０９）及び一部の関連する回路を収容する働きもする。中空のステム（２０３）がハンドルに取り付けられ、アプリケータの末端部に向かって移動する。さらに末端部に向かって、図で成形ブラシとして示されているアプリケータ頭部（２０６）がある。この実施形態では、電子回路の大きさは、具体的には１以上の発熱素子を含むプリント回路基板（ＰＣＢ）（図８の２１０）上で担持される大きさである。ＰＣＢは、（アプリケータの基端部に比較的近い）キャパシタ（２０９）から（アプリケータの末端部に比較的近い）アプリケータ頭部まで中空のステムを通過する細長い構造である。図７は、オーバーシェル（ｏｖｅｒｓｈｅｌｌ）（２０１ａ）が除去された状態のアプリケータハンドルを示している。キャパシタ（２０９）が見える。図８は、オーバーシェル、及びステムが取り外された状態のアプリケータを示している。キャパシタ及びプリント回路基板（２０１）が見える。一部の関連する回路も図７、及び８で見ることができる。図８では、キャパシタは導体（２１１）及び（２１２）によってＰＣＢと電気的に接触している。回路は、アプリケータの加熱回路のためのオン−オフスイッチ（２０２）も含む。本アプリケータの独特の特徴は、雌電力対合コネクタ（２０４）であり、（図４及び５でより明確に見られる）ハンドルの外面上でアクセスすることができ、アプリケータの再充電回路の一部を形成する。
【００３５】
好ましくは、本発明による汎用ドッキングステーションコンパクトは、キャパシタが低下し、又は消耗した場合に、加熱マスカラアプリケータ（又は他の電子化粧デバイス）に収容されたキャパシタを再充電することができる。これは、周知の電子化粧デバイス、及び周知のコンパクトに勝る本発明の重要な利点である。他の方法で自分の電子化粧デバイスを使用することができない消費者は、本発明によるコンパクトを自分のハンドバッグから取り出して、コンパクトと化粧デバイスの電力接続を完了し、数秒、又は数分未満で再充電されたデバイスを使用することができる。コンパクトと化粧デバイスの接続の完了は、電力ケーブル（又は電力／データケーブル）の一端をコンパクトの表面でアクセス可能なポート内に差し込み、ケーブルの他端を化粧デバイスの表面上でアクセス可能なポート内に挿入することを含むことができる（図５を参照）。別法として、コンパクトと化粧デバイスの接続の完了は、ベース（１０）の表面でアクセス可能な雄出力電力コネクタを化粧アプリケータ（２００）の表面上でアクセス可能な対合する雌コネクタ内に差し込むステップを含むことができる。例えば、図４で示した実施形態では、雄出力電力コネクタ（１０４）はカバー（４０）が開位置にある場合のみ、ベースの上面（１４）でアクセス可能である。雌入力電力コネクタ（２０４）は、アプリケータの一端でアクセス可能であり、雄出力電力コネクタ（１０４）とインターフェースをとることができる。この構成では、コンパクトのカバー（４０）を閉鎖することができない。任意選択の空間（１０５）が設けられて、再充電中に化粧アプリケータデバイスが定位置にしっかり保持される（図１を参照）。
【００３６】
コンパクトと電子化粧デバイスとの電気的接続が確立された後、電力がコンパクトの電源から化粧デバイスの１以上のキャパシタに流れて、電力が化粧デバイスの１以上のキャパシタに蓄積されるようにすることができる。１以上のキャパシタが、好ましくは２分未満、より好ましくは１分未満、さらに好ましくは３０秒未満、最も好ましくは１５秒未満で完全に充電される。キャパシタを完全に充電する実際の時間は、キャパシタのサイズ、キャパシタの消耗度、電源のサイズ、及び電源の消耗度に依存する。
【００３７】
本発明による電子化粧デバイスは、化粧デバイスの表面上でアクセス可能なポートから化粧デバイスのキャパシタに電力を伝送して、キャパシタに蓄積される電力を増加するのに必要な任意の電気ハードウエアを備える。例えば、ハードウエアは、プリント回路基板上に位置付けられた絶縁ワイヤリング及び／又はプリント回路素子を含むことができる。電子化粧デバイスは、デバイスが充電されている場合、且つ／又はデバイスが完全に充電された場合、並びに／或いはデバイスの充電が低下している場合を示す手段を含むことができる。例えば、１以上の表示灯が化粧デバイス上に存在してもよい。
【００３８】
本発明による電子化粧デバイスは、キャパシタを電力源として含むスイッチ式電気回路を形成するのに必要な任意の電気ハードウエアも備える。例えば、電気回路は、キャパシタ（２０１）、電子化粧デバイスの外側からアクセス可能なスイッチ（２０２）、モータ、及び／又は加熱素子、並びに／或いは冷却素子、１以上のＬＥＤ、及び様々な素子間の電気導体を備えることができる。スイッチ、ケーブル、キャパシタ、抵抗器、サーミスタ、電圧調整器、変圧器、半導体、ダイオード、トランジスタ、圧電デバイス、増幅器、受信器、発振器、結晶整流器、共振器、サーモスタット、加減抵抗器、ヒューズ及びブレーカ、端子、コネクタ、誘導デバイス、保護デバイス、変換器、センサ、検出器、ネットワークデバイス、アンテナ、集積回路、オプトエレクトロニックデバイス、モータ、磁石、電源など、任意のタイプの電子部品をこうした化粧デバイスで使用することができる。
【００３９】
消費者ハンドヘルドの充電
「ハンドヘルド」として周知の消費者用電子デバイスも、再充電可能な電源を使用する。電子化粧デバイスとは異なり、ハンドヘルドは、数回の使用後、又は数分間の使用後に再充電しなければならない場合に不便である。そのため、ハンドヘルドは、キャパシタではなく、再充電可能な電池を使用する。好ましくは、本発明による汎用ドッキングステーションコンパクトは、好ましくはハンドヘルドの電池が消耗した場合に、長時間にわたり消費者用電子ハンドヘルドに電力を供給して作動させることができる。これは、周知の化粧コンパクトに勝る本発明の重要な利点である。他の方法では、例えば自分の携帯電話、又はｉＰｏｄ、或いはＰＤＡを使用することができない消費者が、自分のハンドバッグから本発明によるコンパクトを取り出して、コンパクトとハンドヘルドの電力接続を完了し、それによって、そうでなければ役に立たないハンドヘルドデバイスを使用し続けることができる。
【００４０】
より好ましくは、本発明による汎用ドッキングステーションコンパクトは、消費者用電子ハンドヘルドデバイスの消耗した電池を完全に再充電することができる。これは、周知の化粧コンパクトに勝る本発明の重要な利点である。他の方法では、例えば、自分のＫｉｎｄｌｅ、又はＧａｍｅｂｏｙ、或いはカメラを使用することができない消費者が、自分のハンドバッグから本発明によるコンパクトを取り出して、コンパクトとハンドヘルドの電力接続を完了して、再充電デバイス及びコンパクトを自分のハンドバッグに戻し、再充電デバイスと再充電器の両方を自分の仕事に行くときに持って行くことができる。
【００４１】
好ましい実施形態では、本発明による汎用ドッキングステーションコンパクトは、消費者用電子ハンドヘルドデバイスの消耗した電池を完全に再充電し、同時にデバイスを作動させる電力を供給することができる。
【００４２】
コンパクトの電源
図９を参照すると、コンパクト（１０）は電源（１１）を備える。電源を、例えば、図で見えないが、ベース（１２）内に、好ましくは、ベースの上面（１４）内の１以上の凹部の下に収容することができる。別法として、電源をカバー（４０）内に収容することもできる。好ましくは、且つ最も便利には、電源は回路基板（３０１）内に存在し、その回路基板に大部分の電子素子も位置付けられる。
【００４３】
好ましくは、電源は、少なくとも一つのセット（正と負）の入力端末（１０７）、及び少なくとも一つのセット（正と負）の出力端末（１０８）を有する再充電可能な電荷蓄積デバイスである。好ましくは、電荷蓄積デバイスの１以上の出力端末が、コンパクトの表面でアクセス可能な１以上の電力コネクタ（図９の出力ジャック（１０２）など）に電気的に接続される。電源の再充電は、電源をコンパクトから取り外し、再充電した後にコンパクトに再配置することを指す。しかし、電荷蓄積デバイスの１以上の出力端末がコンパクトの表面でアクセス可能な１以上の電力コネクタ（図９の入力ジャック（１０３）など）に電気的に接続されることが好ましい。
【００４４】
有効であるためには、電源が再充電するデバイスよりも実質的に大きい電気容量（アンペア時）を供給しなければならない。上記の電子パーソナルケア及び電子化粧デバイスは数秒又は数分で再充電される。消費者用ハンドヘルドに関しては、コンパクトの再充電可能な電源は、ハンドヘルドを好ましくは８時間未満、より好ましくは６時間未満、さらに好ましくは４時間未満、最も好ましくは２時間未満で再充電することができる。さらに、コンパクトの電源は、それ自体が同様の時間枠内で再充電可能である。このように、電源があまり必要とされない場合に、電源を一晩中（又は任意の便利なときに）再充電することができる。コンパクトの電源を再充電する必要がある頻度は使用の頻度に依存する。コンパクトの電源を１日に２回以上再充電する必要がないことが好ましい。そうすると、電源を一晩中、又はあまり必要でないときにいつでも再充電することができる。
【００４５】
自動車携帯電話など一部のハンドヘルドデバイスは、公称電圧約３．７Ｖ、且つ電流約１，４００ｍＡで動作する。本発明による汎用ドッキングステーションコンパクトの電荷蓄積デバイス（１１）は、好ましくは、必要とされる電圧をかなり高いアンペア数で供給することができる。本発明の一部の実施形態では、コンパクトの電荷蓄積デバイス、又は電源は、少なくとも３．７ＶＤＣの公称電圧、及び少なくとも２，８００ｍＡを有する再充電可能なリチウムイオン電池である。比較的低電圧を必要とするデバイスには、ダウンロード変換器を使用して適切な電圧を供給することができる。今日入手可能な一部の再充電可能なリチウムイオン電池は、４５分以内で完全に再充電することができ、一部のブランドは１０分未満で完全な充電の９０％に達することができるが、コストが検討要素になる。有用な再充電可能な電池の中には、汎用ドッキングステーションコンパクトのベース又はカバー内に都合良く嵌り、人が電力を供給し、又は再充電しようとするデバイスと少なくとも同じ高さの出力電圧を有するものがある。さらに、有用な再充電可能な電池では、好ましくは少なくとも２，８００ｍＡ、より好ましくは少なくとも３，６００ｍＡ、さらに好ましくは少なくとも４，２００ｍＡの出力が可能である。また、有用な再充電可能な電池は、８時間未満、好ましくは６時間未満、より好ましくは２時間未満、最も好ましくは１時間未満で完全に再充電することができる。
【００４６】
回路基板
好ましくは、電源（１１）を含む電気部品の大部分は、回路基板（３０１）上に存在する。板自体を基板（３００）上に置くことができる。カバーを有する、又は有さない回路基板を、ベース（１２）内に、好ましくは、図で見えないが、ベースの上面（１４）内の１以上の凹部の下に収容することができる。別法として、回路基板をカバー（４０）内に収容することもできる。図９は、本発明の幾つかの実施形態で有用である回路基板上の電子部品の一つの可能な配置を示している。スイッチ、ケーブル、キャパシタ、抵抗器、サーミスタ、電圧調整器、変圧器、半導体、ダイオード、トランジスタ、圧電デバイス、増幅器、受信器、発振器、結晶整流器、共振器、サーモスタット、加減抵抗器、ヒューズ及びブレーカ、端子、コネクタ、誘導デバイス、保護デバイス、変換器、センサ、検出器、ネットワークデバイス、アンテナ、集積回路、オプトエレクトロニックデバイス、モータ、磁石、電源など、任意のタイプの電子部品を本発明の様々な実施形態で使用することができる。具体的には、好ましい回路基板は、１以上の制御処理装置（１以上のＣＰＵ）、メモリレジスタ、及びデジタル信号転送バスなど、デジタル信号を処理するための部品を備える。
【００４７】
最小限で、本発明で使用される回路基板は二つのタイプの電気回路、各タイプの少なくとも一つを有する。負荷回路と呼ばれる第１の回路は、電流が負荷を通って流れる場合、電池（１１）から電力を引く１以上の電気負荷を含む。例えば、負荷は、出力ジャック（１０２）から電池から電力を引く携帯電話、又は出力プラグ（１０５）から電力を引く加熱化粧アプリケータなど、ハンドヘルドデバイスでもよい。第１の回路は、電池と負荷の間の電流の流れを遮断することができるスイッチを含むこともできる。スイッチが閉鎖状態の場合、電力は電池から引き出され、電流が負荷回路を通って流れる。スイッチが開放状態の場合、電力は電池から引き出されず、電流は負荷回路を通って流れない。スイッチにユーザがアクセスすることができることが好ましい。好ましくは、スイッチはデバイスの外面上に位置付けられる。電子技術分野で周知のスイッチの全ての方法を本発明の様々な実施形態で使用することができる。一部の非限定的な例には、トグルスイッチ、ロッカスイッチ、スライダ、ボタン、回転ノブ、接触作動表面、磁石スイッチ、及び光作動スイッチが含まれる。電子負荷が複数の出力レベルが可能な場合、複数位置のスイッチ、又はスライダスイッチも有用である。手動スイッチを直接アクセス可能な任意の位置に位置付けることができる。
【００４８】
再充電回路
第２の回路は再充電回路である。電池（１１）は、電池（１１）を再充電するための電力貯蔵器への電気的接触を確立することができ、再充電回路は、デバイスが電力貯蔵器にアクセスしているときにのみ完全なものである。全般的に、電力貯蔵器はデバイスの外部にあり、接続部は再充電回路を完全なものにするように作製されなければならない。接続部は、物理的接触、又は誘導タイプでもよい。全般的に、物理的接触電力接続部は、二つの対合するコネクタ、雄（又はプラグ）と雌（ジャック又はポート）として形成される。どちらのタイプのコネクタも便利なデバイスの任意の表面上でアクセス可能である。様々なタイプの直流電力コネクタ、例えば、バナナ、ＴＲＳ、ＲＣＡ、及びＥＩＡＪが、電子技術分野で周知である。コネクタタイプのこの列挙は網羅的ではなく、現在周知の、又は開発される任意のタイプのコネクタも本発明に有用である。
【００４９】
記載したように、コンパクトの電池は定期的に再充電しなければならない。本発明による汎用ドッキングステーションコンパクトはしばしば再充電する必要があるが、例えば、ユーザが家にいるときに、少ない回数で再充電を行うことができる。残りの時間、コンパクトは様々な電子デバイスのためのポータブルドッキング及び再充電ステーションとしての特性を保持するものである。
【００５０】
全般的に、二つのタイプの再充電、コンダクティブ（有線）、及びインダクティブ（無線）がある。本発明によるコンパクトをどちらのタイプでも使用されるように設計することができる。この二つのうちのより従来的なコンダクティブ充電は、電池と充電機の直接の電気的接触が必要である。対照的に、インダクティブ充電は直接の電気的接触を使用しない。むしろ、インダクティブ充電は、電磁場によってコンパクトの電源と電池の間でエネルギを移動させる。例えば、電源の誘導コイルが交流電磁界の生成に使用される。本発明の１以上の実施形態による汎用ドッキングステーションコンパクトが、この交流電磁界内に運ばれ、電流がコンパクト内に位置付けられた第２の誘導コイル内に誘導される。この電流がコンパクトの電池に蓄積される。
【００５１】
有線又は無線のどちらのタイプの再充電も充電ベース中に設けることができる。インダクティブ充電の場合、充電ベースは充電パッド（図１０の５００）の形態でもよい。コンダクティブ充電の場合、コンパクト自体をこの目的用に設計された再充電ベース内に置くことができる。別法として、本発明による汎用ドッキングステーションコンパクトに、家庭又は他の標準の電流原から電力を引き出すための電気プラグを設けることができ、再充電ベースが不要である。図１１では、例えば、ケーブル（１１２）の一端に位置付けられたＡ型プラグ（１０６）が通常の住宅の電力に接続され、ＡＣ／ＤＣ変換器（１２５）は電圧を直流電圧に、また電池（１１）に適切な電流に変換し、変換された電力が対合するコネクタ（１２０）を通りコンパクト（１０）の入力電力コネクタ（１０３）に通される。そこから、電力は電池に到達するまでコンパクトの再充電回路に沿って移動し、電池に電力が蓄積される。他の代替形態では、コンパクトの電池の充電にコンピュータが使用される。例えば、雄タイプのコネクタが装備されたコンパクトをコンピュータ上の雌コネクタ内に直接差し込むことができる。コンピュータは、パーソナルコンピュータ、ＭＡＣ、ノートブック、ラップトップなど、任意のタイプを指す。コンパクトは接続部によりコンピュータから電流を引き出し、その電流を電池に蓄積する。例えば、コンパクトは、ＵＳＢ雄コネクタを有することができ、パーソナルコンピュータはＵＳＢ雌コネクタを有することができる。他のタイプのコネクタもこの目的に有用でありうる。
【００５２】
再充電回路の一実施形態の全般的な記載は以下の通りである。プラグ（１０６）が電力貯蔵器に接続され、雄タイプの電気コネクタ（１２０）が入力電力コネクタ（１０３）に挿入されると、外部の電力貯蔵器と電池（１１）の間に電気的接触が確立されて、電池が電荷を受け、蓄積することができる。電池が完全に再充電されると、電流の流れが停止する。充電が完了すると、雄タイプのコネクタを電気ポートから取り外すことができる。電池によって、完全な再充電は約１時間から約１０時間かかることがある。消費者の観点から、比較的短い時間が好ましいが、比較的速い充電電池は一般に価格が高い。再充電回路は、任意選択でスイッチを含んで、実際の充電が、スイッチが閉鎖された場合にのみ行われるようにすることができる。任意選択で、再充電回路は、再充電の１以上の状態の信号を送る１以上の表示灯を含むことができる。例えば、充電が行われていることを示し、又はキャパシタの充電の度合いを示し、或いは充電が停止したことを示す（１７）灯り（１６）があってもよい。
【００５３】
任意選択の機能
任意の数の任意選択の機能を本発明によるコンパクトの様々な実施形態に含めることができる。任意の数の機能をコンパクトと一体化することができ、又はコンパクトへの電力及び／或いはデジタルインターフェースによって容易にすることができる。例えば、コンパクトは、１以上の内部メモリレジスタ、揮発性（すなわちＲＡＭ）、又は不揮発性メモリのどちらも有することができる。内部メモリは、例えば、Ｆｉｌｅ  Ａｌｌｏｃａｔｉｏｎ  Ｔａｂｌｅ  （ＦＡＴ）など、任意、且つ全ての方法のファイルシステムアーキテクチャが可能でもよい。集積メモリの一使用は、ユーザが自分の化粧品の買い物習慣、及び好みを格納するためでもよい。こうすると、店の売り場で、メモリにアクセスして、購買経験を助けることができる。別法として、上記で論じたように、メモリデバイスへのインターフェースを設けることもできる。
【００５４】
上記に、電力を引き出すための、本発明によるコンパクトとコンピュータのインターフェーシングを記載した。しかし、同じタイプの接続により、データをコンパクトとコンピュータの間で交換することもできる。したがって、本発明は、コンパクトで生成する任意の電力、データ、信号の接続を容易にするソフトウエア、又はプログラミングコード、並びにユーザのデータのアップロード及び／若しくはダウンロード、データの獲得及び／若しくは見直しの経験を容易にするソフトウエアも企図する。データをコンパクトに出し入れする動作を制御するソフトウエアプログラム、又はプログラミングコードをコンピュータに存在させ、コンピュータにコンパクトを物理的にリンクさせることができ、又はコンピュータをコンパクト自体に存在させることができ、或いはＬＡＮ若しくはインターネットのようなネットワークを通してアクセス可能なデジタルデバイスに存在させることができる。
【００５５】
データをコンパクトに出し入れする動作を制御するソフトウエアプログラム、又はプログラミングコードは、一定の条件が満たされたときに、幾つかの機能を自動的に行うことができる。プログラムは、ユーザが要求したときに幾つかの機能を行うこともできる。例えば、コンパクトとコンピュータがデータ接続を形成する場合、コンパクトはコンピュータにウェブブラウザを開始し、特定のウェブページを開くように自動的に命令することができる。そのウェブページは、例えば、コンパクトの製造者の商業ウェブサイトでもよい。ウェブサイトで、常駐プログラムは、ファイル、データ、若しくは情報をコンパクトからウェブサイトに自動的にダウンロードし、且つ／又はファイル、データ、及び／若しくは情報をウェブサイトからアップロードすることができる。任意選択で、コンパクトとコンピュータ、及び／又はウェブサイトとのリンクが確立された後、コンパクトの画面、又はコンピュータの画面は選択肢のメニューをユーザに表示することができる。ソフトウエアは、ユーザによって行われた選択に応答し、一部のプログラミングされたタスクを完了するように設計される。
【００５６】
データをコンパクトに出し入れする動作を制御するソフトウエアプログラム、又はプログラミングコードをハンドヘルド及びコンピュータに適した任意のプログラミング言語で実装することができる。プログラムを、ローカルエリアネットワーク、或いはインターネットなど分散コンピューティング環境、又は（コンパクトとインターフェースをとるように設計された）スタンドアロンキオスクなど非分散環境で作動させることができる。全般的に、目的コードを生成して、又は生成せずに、コンパイル済み、又は翻訳済みのプログラミング言語でプログラムを実行することができる。任意の所与の時間にプログラミングコードは揮発性メモリ、又は不揮発性メモリ、或いはその両方に存在することができる。任意選択で、接触画面入力、及び画面、並びにプリンタ出力をサポートするプログラミング言語でプログラムが実行される。プログラムプロパーは、選択及びループなど制御流れステートメント、条件付き及び／又は無条件のリダイレクト、サブルーチン、及び終了など分岐構造、並びに誤り処理など割り込みアルゴリズムを使用する。様々なプログラミングパラダイムが本発明によるプログラムの実装に有用であるが、ユーザの入力が１以上のイベントハンドラをトリガするイベント駆動型プログラミングアプローチが好ましい。他の潜在的に有用なパラダイムには、オブジェクト指向、構造化、命令、且つ機能のパラダイムが含まれる。さらに、全般的にハンドヘルドに関して、比較的大きいアプリケーション、及び／又は比較的小さいアプレットを展開することができ、それによって機能性を拡張し、又は本発明による汎用ドッキングステーションコンパクトを使用する経験を向上させることができる。
【００５７】
多くの周知のプログラミング言語が、プログラムの１以上の部分の実行に有用である。特に有用なものは、ＡｃｔｉｏｎＳｃｒｉｐｔ、Ｏｂｊｅｃｔｉｖｅ−Ｃ、Ｊａｖａ（登録商標）、ＪａｖａＳｃｒｉｐｔ（登録商標）、ＰＨＰ／ＭｙＳＱＬ、及び任意のＭｉｃｒｏｓｏｆｔ．ＮＥＴファミリの言語である。現在知られている、又は開発される、ＨＴＭＬ、ＸＭＬ、ＸＨＴＭＬなどマークアップ言語もアプリケーションの展開に有用である。
【００５８】
任意選択で、本発明によるコンパクトは、加熱、及び／又は冷却機能を有することができ、化粧品又はトリートメント製品を加熱し、又は冷却するために使用することができる。加熱、及び冷却を行う一方法は、１以上の熱電効果によるものである。例えば、ペルチエ効果では、電流が第１の金属から第２の異種金属に交点を通って流れる。交点での不連続によって、熱が第２の金属から除去され（したがって、それが冷却され）、温度勾配に反して第１の金属に伝達される（したがって、それが加熱される）。電流の方向が逆になると、効果も逆になる。ペルチエ効果に基づく熱電ポンプは周知であり、熱をデバイスの一側部から他方に伝達し、一側部を加熱し、他方を冷却する半導体デバイスの形態をとる。例えば、ＵＳＢポートから電力を供給され、飲料の冷却、又は加熱に使用されるペルチエ素子が市販されている。本発明によるコンパクトは、通常、製品が充填された容器を備える。容器は、例えば、金属受皿でもよい。ペルチエ半導体素子を容器の下に配置することができる。コンパクトの電池によって電力を供給することができ、回路はオン−オフスイッチを有することができる。任意選択で、回路は温度センサ、製品が一定の温度に達した場合にユーザに警告する手段、及び自動遮断能力を有することができる。
【００５９】
任意選択で、本発明によるコンパクトは、コンパクトがよく有する鏡（７０）を有することができる。必要ではないが、通常、鏡をカバーの内面上に位置付けることができる。さらに、本発明によるコンパクトは、コンパクトの電池によって電力が供給される電子画面を有することもできる。鏡と画面は別個の素子でもよい。しかし、好ましくは、鏡と画面は、二つのモードで動作することができる一つの表示素子として実装される。表示装置がオフの場合、表示装置は通常の鏡である。表示装置がオンの場合、表示装置は画面になる。例えば、米国特許第６，３１１，０７７号には、鏡として、又は携帯電話の操作に関連する情報を表示するための画面としての二つのモードのどちらでも動作することができる表示装置を有する携帯電話コンパクトが記載されている。好ましくは、画面モードで使用される場合、本発明の表示装置は、携帯電話、ＰＤＡ、ｍｐ３プレーヤ、Ｂｌａｃｋｂｅｒｒｙ、ｉＰａｄなど、任意の周知のハンドヘルドデバイスと同様の機能を有する。本発明によるコンパクトは、同様に装備することができ、表示装置及び画面の技法の全ての進歩を本発明に一体化することもできる。この画面は、例えば、無線能力によってインターネットから、又は例えば、組込又はプラグインメモリデバイスからなど、外部ソースから受信した信号を表示することができる。画面上に表示することができる外部信号は、例えば、ピクチャ、テキスト及びビデオ、公共サービスメッセージ、無料と購買のメディアサービスの形の広告メッセージが含まれる。内部信号には、例えば、個人の写真、ビデオ、及びテキストが含まれる。任意選択で、画面が、指、又はスタイラスでの接触に応答できるようにすることができる。
【００６０】
一部の実施形態では、無線能力をコンパクトと一体化することができ、又はコンパクトの使用可能なポート内にプラグが差し込まれた無線アダプタで有効にすることができる。こうした能力により、コンパクトが電子メールを受け取り、インターネット及びワールドワイドウェブを見て回ることができるようになる。商売の販売者が本発明によるコンパクトに電子メールの広報宣伝を送ることが完全に可能である。又は、ローカルエリアネットワークを見て回る結果として、本発明は、一定の商業施設など、特定の場所の特定のセットの一定の距離内に移動したことをコンパクトの持ち主に通知することができるコンパクトを含む。或いは、同じ通知をＧＰＳ使用可能なコンパクトによってトリガすることもできる。
【００６１】
任意選択で、キーボード、デジタルポインディングデバイス、デジタル選択デバイス、又は表示画面をコンパクトの露出面に一体化することができ、又はこれらの任意のものが、プラグを差し込むことによって、又は無線接続によって、コンパクトの外側の使用可能なポートとインターフェースをとることができる。
【００６２】
一部の実施形態では、１以上の音声スピーカをコンパクトに一体化することができ、又は外部スピーカへの電力及びデジタルインターフェースを設けることができる。スピーカは、音楽、或いは音声通信、又はシステム警告音のためのものでもよい。無料、及び／又は購買のラジオ、及び／又はテレビ、及び／又は他の媒体のためのチューナをコンパクトに一体化することができる。衛星ラジオ及びＴＶ用受信機をコンパクトと一体化し、又はプラグを差し込むことによって、或いは無線接続によって、コンパクトの外側の使用可能なポートとインターフェースをとることができる。
【００６３】
本発明の一部の実施形態に、デジタル画像獲得能力、及び／又はデジタルビデオ、及び音声獲得能力を与えることができる。ビデオビューイング、及び／又は再生能力を含むこともできる。
【００６４】
保管領域を備える化粧コンパクトは周知である。保管領域を例えばアプリケータに使用することができる。本発明の一部の実施形態は、電子及び／又はデジタル機器の保管領域を備えることができる。例えば、摺動式引き出しをパッチコード又はＵＳＢフラッシュドライブを収容するように設計することができる。又は、例えば、コンパクトの主コンパートメント内のスロットのアレイは、ミニＳＤフラッシュドライブを保持することができる。
【００６５】
完全に取り外し可能なトレー（例えば、米国特許第５，６０５，１６７号、及び第６，００２，６５１号）、気密シール（例えば、米国特許第５，８４２，４８６号、及び第６，１９９，５５９号）、窓又はレンズを有する１以上の透明カバー（例えば、米国特許第６，２２７，２０８号、第６，７６９，４３８号、及び第２００４／０２２１８６６号）、過剰に回転させた場合に破損を防止するためのスナップオフカバー（例えば、米国特許第５，６３８，８３８号）、及び内部点灯（例えば、米国特許第４，１２６，１４５号）を有するコンパクトの作製も知られている。本発明によるコンパクトに任意のこうした特徴を装備することができる。例えば、図１は、カバー（４０）の内面（４４）の幾つかの点灯素子（７０）を示している。例えば、点灯素子は、鏡（７０）を取り囲むＬＥＤのアレイでもよい。点灯素子はコンパクトの電源（すなわちリチウムイオン電池）によって電力を供給される。１以上の点灯素子は、コンパクトが開放されると自動的にターンオンされ、且つ／又はコンパクトが閉鎖されると自動的にターンオフされ、且つ／又はユーザの制御を与えて、ユーザが随意に灯りをオン且つ／又はオフにできるようにすることができる。
【図１】
2014516655.tif 000003
【図２】
2014516655.tif 000004
【図３】
2014516655.tif 000005
【図４】
2014516655.tif 000006
【図５】
2014516655.tif 000007
【図６】
2014516655.tif 000008
【図７】
2014516655.tif 000009
【図８】
2014516655.tif 000010
【図９】
2014516655.tif 000011
【図１０】
2014516655.tif 000012
【図１１】
2014516655.tif 000013
【国際調査報告】
2014516655.tif 000014
2014516655.tif 000015